Podtech/llm-jp-corpus-v4-ja_patent huggingface dataset:
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
まばたきに続く脂質層の分散後に、患者の眼の表面上の脂質層の厚みを測定する装置であって、
患者の眼の脂質層に光を向ける照射器を備え、照射器が、完全拡散放射体である可視領域の広帯域スペクトル光源を含み、光源からの光線が、脂質層から鏡面反射され、脂質層において強め合うおよび弱め合う干渉を受け、さらに、
鏡面反射光を観察する画像化デバイスを備え、涙液層の脂質層上の干渉縞が観察可能である、装置。
【請求項２】
前記照射器がさらに、
可視領域の光を放射するように適合された複数の間隔を空けた発光ダイオードと、
前記発光ダイオードと眼の表面との間に配置され、それぞれの発光ダイオードにより放射された光を拡散するための拡散器とを含み、さらに、拡散器が、弓形であり、拡散器から放射された光線が、眼の表面に当たり、スネルの法則が、前記画像化デバイスの受光角に対して満たされ、眼の表面上に干渉の観察可能な領域を形成する、請求項１に記載の装置。
【請求項３】
まばたきに続く脂質層の分散後に、眼の表面上の脂質層の厚みを測定するための装置であって、
患者の眼の脂質層に光を向ける照射器を備え、照射器が、可視領域の広帯域スペクトル光源であり、かつ完全拡散放射体であり、光源が、脂質層から鏡面反射され、脂質層において強め合うおよび弱め合う干渉を受け、照射器の表面から放射される全光量が、１０μＷ／ｍｍ２未満であり、さらに、
鏡面反射光を観察する画像化デバイスを備え、涙液層の脂質層上の干渉縞が観察可能である、装置。
【請求項４】
前記照射器がさらに、
可視領域の光を放射するように適合された複数の間隔を空けた発光ダイオードと、
前記発光ダイオードと眼の表面との間に配置され、それぞれの発光ダイオードにより放射された光を拡散するための拡散器とを含み、さらに、拡散器が、弓形であり、完全拡散放射体から放射された光線が、眼の表面に当たり、スネルの法則が、前記画像化デバイスの受光角に対して満たされ、眼の表面上に干渉の観察可能な領域を形成する、請求項３に記載の装置。
【請求項５】
まばたきに続く脂質層の分散後に、患者の眼の表面上の脂質層の厚みを測定する装置であって、
患者の眼の脂質層に光を向ける照射器を備え、照射器が、可視領域の広帯域スペクトル光源を含み、かつ均一な照射の完全拡散放射体であり、光源が、脂質層から鏡面反射され、脂質層において強め合うおよび弱め合う干渉を受け、さらに、照射器が、患者の顔を照射するが、瞳孔の下方の領域のみが、スネルの法則を満たし、さらに、
鏡面反射光を観察する画像化デバイスを備え、涙液層の脂質層上の干渉縞が、前記画像化デバイスの受光角に対して瞳孔の下方の領域において観測可能になり、瞳孔の下方の眼に干渉の観察可能な領域を形成する、装置。
【請求項６】
前記照射器が、発光ダイオードアレイと、それぞれのダイオードアレイと涙液層の脂質層との間に配置された拡散器とを備える、請求項５に記載の装置。
【請求項７】
まばたきに続く脂質層の分散後に、眼の表面上の脂質層の厚みを測定する装置であって、
患者の眼の脂質層に光を向ける照射器を備え、照射器が、可視領域の広帯域スペクトル光源であり、かつ均一な照射の完全拡散放射体であり、光源が、脂質層から鏡面反射され、脂質層において強め合うおよび弱め合う干渉を受け、照射器から放射された光が、反射することなく脂質層に直接伝搬し、脂質層に当たり、さらに、
鏡面反射光を集光および収束する画像化デバイスを備え、涙液層の脂質層上の干渉縞が観察可能である、装置。
【請求項８】
まばたきに続く脂質層の分散後に、患者の眼の表面上の脂質層の厚みを測定する方法であって、
患者の眼の脂質層を、可視領域にありかつ完全拡散放射体である広帯域スペクトル光源で照射するステップであって、光源からの光線が、脂質層から鏡面反射され、脂質層において強め合うおよび弱め合う干渉を受けて、干渉縞を生成する、前記照射するステップと、
涙液層の脂質層上の干渉縞が観察可能であるように、鏡面反射光を観察する画像化デバイスのステップとを含む、方法。
【請求項９】
前記照射器がさらに、
可視領域の光を放射するように適合された複数の間隔を空けた発光ダイオードと、
前記発光ダイオードと眼の表面との間に配置され、それぞれの発光ダイオードにより放射された光を拡散するための拡散器とを含み、さらに、拡散器が、弓形であり、拡散器から放射された光線が、眼の表面に当たり、スネルの法則が、カメラレンズシステムの受光角に対して満たされ、眼に干渉の観察可能な領域を形成する、請求項８に記載の方法。
【請求項１０】
まばたきに続く脂質層の分散後に、眼の表面上の脂質層の厚みを測定する方法であって、
患者の眼の脂質層を、可視領域にありかつ完全拡散放射体である広帯域スペクトル光源で照射するステップであり、光源が、脂質層から鏡面反射され、脂質層において強め合うおよび弱め合う干渉を受けて、涙液層に干渉縞を生成し、さらに、照射器の表面から放射される全光量が１０μＷ／ｍｍ２未満である、前記照射するステップと、
鏡面反射光を観察するステップとを含む、方法。
【請求項１１】
照射器がさらに、可視領域の光を放射するように適合された複数の間隔を空けた発光ダイオードを含み、
それぞれの発光ダイオードにより放射された光を拡散するステップを含み、さらに、照射器が、弓形であり、完全拡散放射体から放射された光線が、眼の表面に当たり、スネルの法則が、前記カメラレンズシステムの受光角に対して満たされ、眼に干渉の観察可能な領域を形成する、請求項１０に記載の方法。
【請求項１２】
まばたきに続く脂質層の分散後に、患者の眼の表面上の脂質層の厚みを測定する方法であって、
患者の眼の脂質層を、可視領域にありかつ均一な照射の完全拡散放射体である広帯域スペクトル光源照射器で照射するステップであり、光源が、脂質層から鏡面反射され、脂質層において強め合うおよび弱め合う干渉を受け、照射器が患者の顔を照明するが、瞳孔の下方の領域のみがスネルの法則を満たす、前記照射するステップと、
瞳孔の下方の涙液層の脂質層上の鏡面反射光の干渉の領域を観察するステップとを含む、方法。
【請求項１３】
照射器が、発光ダイオードアレイと、それぞれのダイオードアレイと涙液層の脂質層との間に配置された拡散器とを備える、請求項１２に記載の方法。
【請求項１４】
まばたきに続く脂質層の分散後に、眼の表面上の脂質層の厚みを測定する方法であって、
患者の眼の脂質層を、可視領域にありかつ均一な照射の完全拡散放射体である広帯域スペクトル光源照射器で照射するステップであり、光源が、脂質層から鏡面反射され、脂質層において強め合うおよび弱め合う干渉を受け、照射器から放射された光が、反射することなく脂質層まで直接伝搬し、脂質層に当たる、前記照射するステップと、
涙液層の脂質層上の干渉縞が観察可能であるように、鏡面反射光を集光および収束するステップとを含む、方法。
【請求項１５】
照射器が、発光ダイオードアレイと、それぞれのダイオードアレイと涙液層の脂質層との間に配置された拡散器とを備える、請求項１４に記載の方法。
【手続補正書】
【提出日】平成23年6月8日(2011.6.8)
【手続補正１】
【補正対象書類名】特許請求の範囲
【補正対象項目名】全文
【補正方法】変更
【補正の内容】
【特許請求の範囲】
【請求項１】
ゲーム環境を動作させる方法であって、
ゲーム・コントローラーの動作を示す第１の入力をユーザーから受け取るステップと、
前記ゲーム環境における少なくとも１つのプレイヤー条件と、少なくとも１つの対抗者条件と、少なくとも１つの対象物条件とを含む、ユーザーによって制御されるプレイヤーの状況認識ステータスにアクセスするステップと、
前記ゲーム環境における実行のためにプレイヤーの複数の可能なアクションを識別するステップであって、前記複数の可能なアクションのうちのそれぞれが、それに対応するアクションが実行されるために満たされるべき１つ以上の前提条件を有するステップと、
前記ゲーム・コントローラーの動作と前記状況認識ステータスとに基づいて、前記前提条件が満たされたものとして、プレイヤーのための２つ以上の前記可能なアクションを識別するステップと、
前記ゲーム環境において実行するために、前記２つ以上の可能なアクションの優先順位に基づいて、前記２つ以上の可能なアクションのうちの１つを選択するステップと、
を含む方法。
【請求項２】
前記２つ以上の可能なアクションのうち、他のアクションよりも高い優先順位を持つアクションが選択される、請求項１に記載の方法。
【請求項３】
前記優先順位がユーザーによって選択される、請求項２に記載の方法。
【請求項４】
前記優先順位が、前記ゲーム環境の開発者によって選択される、請求項１に記載の方法。
【請求項５】
前記２つ以上の可能なアクションのうちの前記１つが、前記ゲーム環境における対抗者を攻撃するために静止した対象物を用いることを含む、請求項１に記載の方法。
【請求項６】
前記２つ以上の可能なアクションのうちの前記１つの選択後に、前記ゲーム・コントローラーの動作を示す第２の入力をユーザーから受け取るステップと、
前記第１の状況認識ステータスとは異なる、前記プレイヤーの第２の状況認識ステータスにアクセスするステップと、
前記第２の入力と前記第２の状況認識ステータスとに基づいて、前記２つ以上の可能なアクションのうちの前記１つとは異なる第２のアクションを選択するステップと、
を更に含む、請求項１に記載の方法。
【請求項７】
前記ゲーム・コントローラーの動作が単一のボタンを押すことを含む、請求項１に記載の方法。
【請求項８】
コンピューター上で実行されるとき、該コンピューターに、ユーザーとの対話インターフェースを動作させるための命令を有するコンピューター読み取り可能媒体であって、
前記命令が、
ゲーム・コントローラー上の動作を示す第１の入力をユーザーから受け取り、ユーザーにより制御されるプレイヤーと少なくとも１つの対象物と少なくとも１つの対抗者とを含むゲームのコンテンツを表示するようになされたゲーム環境と、
前記第１の入力を受け取ると、前記ゲーム環境内の前記少なくとも１つの対象物のそのときの対象物条件と、前記プレイヤー及び前記少なくとも１つの対抗者のそのときのキャラクター条件とを監視するようになされた環境監視モジュールと、
複数の個別の項目を有し、それぞれの前記項目を、前記ゲーム環境内で前記プレイヤーによって実行される異なるアクションに対応させてなるアクション・テーブルと、
前記対象物条件と前記キャラクター条件とに基づいて、前記ゲーム環境に対して、前記アクション・テーブルから、前記プレイヤーのためのアクションを選択するようになされたアクション選択モジュールと、
を含む、コンピューター読み取り可能媒体。
【請求項９】
前記アクション選択モジュールが、前記アクション・テーブルから、前記異なるアクションのそれぞれに対する前提条件にアクセスして、前記対象物条件と前記キャラクター条件とに基づいて有効なアクションを決定するように更になされる、請求項８に記載のコンピューター読み取り可能媒体。
【請求項１０】
前記アクション選択モジュールが、前記アクション・テーブルから、前記異なるアクションのそれぞれに対する優先順位にアクセスして、それぞれの有効なアクションに対する優先順位に基づいて、前記有効なアクションからアクションを選択するように更になされる、請求項９に記載のコンピューター読み取り可能媒体。
【請求項１１】
前記アクションが、前記ゲーム環境において前記プレイヤーが前記少なくとも１つの対抗者を攻撃することを含む、請求項８に記載のコンピューター読み取り可能媒体。
【請求項１２】
前記対象物条件が、前記少なくとも１つの対象物の位置を含み、前記キャラクター条件が、前記少なくとも１つの対抗者の位置を含む、請求項８に記載のコンピューター読み取り可能媒体。
【請求項１３】
前記ゲーム環境が、前記アクション選択モジュールが前記アクションを選択した後に、前記ゲーム・コントローラーの動作を示す第２の入力をユーザーから受け取るようになされ、
前記アクション選択モジュールが、前記第２の入力が受け取られると、前記環境監視モジュールによって決定された、そのときの対象物条件とそのときのキャラクター条件とに基づいて、前記第１のアクションとは異なる第２のアクションを選択する、
請求項８に記載のコンピューター読み取り可能媒体。
【請求項１４】
前記動作が、前記ゲーム・コントローラー上で単一のボタンが押されることである、請求項１３に記載のコンピューター読み取り可能媒体。
【請求項１５】
ゲーム環境において戦闘アクションを実行するための方法であって、
プレイヤーと対抗者と対象物とを前記ゲーム環境において特定するステップと、
前記プレイヤーによる前記対抗者に対する攻撃を示すユーザー入力を受け取るステップと、
前記プレイヤーと前記対抗者と前記対象物との位置を決定するステップと、
複数の戦闘攻撃アクションに数値的な順位を与えるステップと、
前記プレイヤーと前記対抗者と前記対象物との位置及び前記数値的な順位に基づいて、前記複数の攻撃アクションの中から、前記プレイヤーによって前記対抗者に対して実行される戦闘攻撃アクションを選択するステップと、
を含む方法。
【請求項１６】
前記戦闘攻撃アクションが、前記プレイヤーが前記対象物を武器として用いて前記対抗者を攻撃することを含み、前記数値的な順位がユーザーによって設定される、請求項１５に記載の方法。
【請求項１７】
前記戦闘攻撃アクションが、前記対抗者を前記対象物に向けて投げることを含み、前記数値的な順位が前記ゲーム環境の開発者によって設定される、請求項１５に記載の方法。
【請求項１８】
前記プレイヤーによる第２の攻撃の開始を示しており、前記第１の攻撃の開始と同じであるユーザー入力を受け取るステップと、
前記複数の戦闘攻撃アクションの中から前記プレイヤーによって実行される第２の戦闘攻撃アクションを選択するステップと、
を更に含む、請求項１５に記載の方法。
【請求項１９】
前記ユーザー入力が単一のボタンである、請求項１８に記載の方法。
【請求項２０】
前記対抗者の状態を決定するステップと、
前記対抗者の状態に基づいて前記戦闘攻撃アクションを選択するステップと、
を更に含む、請求項１５に記載の方法。
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
ゲームにおける非プレーヤー・キャラクタについてのダイアローグを含むカットシーン・クリップ・ファイルを取り出すステップであって、前記ダイアログは、プレーヤーに伝えるべき重要情報および様式情報を含む完全な物語を提供するカットシーンの少なくとも一部をなす、ステップと、
前記取り出したカットシーン・クリップ・ファイルにおけるダイアログに基づいて、前記非プレーヤー・キャラクタからの音声を表すオーディオ信号を生成するステップと、
前記オーディオ信号が生成されている間に、前記プレーヤーのアバターがある行為を実行したと判定するステップと、
前記行為を、前記非プレーヤー・キャラクタが有する前記行為の印象にマッピングするステップであって、前記行為の印象は、前記プレーヤーのアバターがせっかちであることである、ステップと、
前記プレーヤーのアバターがせっかちであるという前記印象をサマリー応答にマッピングするステップと、
前記取り出したカットシーン・クリップ・ファイルにおけるダイアログの全てをオーディオ信号として生成し終える前に、前記取り出したカットシーン・クリップ・ファイルに対するオーディオ信号を停止するステップと、
前記非プレーヤー・キャラクタからの音声を表すオーディオ信号を生成するために前記サマリー応答を再生するステップであって、前記サマリー応答が、前記完全な物語の要約されたバージョンであって、前記完全な物語に見られる全ての重要情報と、前記完全な物語に見られるよりもより少ない様式情報とを含み、これにより、前記物語の重要情報が前記プレーヤーに提供されることを確実にするステップと、
前記サマリー応答を再生した後、前記取り出されたカットシーン・クリップ・ファイルに対する前記オーディオ信号を完了することなく前記カートシーンを終了させるステップと、
を含む、方法。
【請求項２】
請求項１記載の方法において、複数の行為を１つの印象にマッピングする、方法。
【請求項３】
請求項１または２に記載の方法において、前記取り出したファイルは、前記完全な物語を一緒に形成する複数のファイルのうち１つを含む、方法。
【請求項４】
コンピューター読み取り可能媒体であって、
ゲームのプレーヤーがカットシーンをトリガしたことを判定するステップであって、前記カットシーンが、前記プレーヤーが前記ゲームを進行するのに必要な重要情報と、前記ゲームに様式的属性を伝える様式情報とを含む、ステップと、
ゲームにおける非プレーヤー・キャラクタについてのオーディオ信号および動画化した動きを表すデーターを収容するカットシーン・クリップ・ファイルにアクセスするステップであって、前記オーディオ信号と前記動画化した動きは、前記非プレーヤ・キャラクタがプレーヤのアバターに話しかけることに対応する、ステップと、
前記カットシーン・クリップ・ファイルの一部を再生するステップと、
前記ゲームにおける前記プレーヤーのアバターがある行為を実行したと判定するステップと、
前記行為を印象にマッピングするステップと、
前記印象をサマリー応答にマッピングするステップと、
格納された応答の組から、前記サマリー応答を取り出すステップと、
前記カットシーン・クリップ・ファイルにおけるダイアログの全てをオーディオ信号として生成し終える前に、前記カットシーン・クリップ・ファイルを停止するステップと、
前記非プレーヤー・キャラクタからの音声を表すオーディオ信号を生成するために前記サマリー応答を再生するステップであって、前記サマリー応答が、前記カットシーンの全ての重要情報と、前記カットシーンよりもより少ない様式情報とを含み、これにより、前記カットシーンの重要情報が前記プレーヤーに提供されることを確実にするステップと、
前記サマリー応答を再生した後、前記サマリー応答の終了時に直ちに前記カットシーンを終了させるステップと、
を含むステップを実行するコンピューター実行可能命令を有する、コンピューター読み取り可能媒体。
【請求項５】
請求項４記載のコンピューター読み取り可能媒体において、行為を印象にマッピングするステップは、前記行為を、１つの行為のみによってマッピングされることには限定されない１つの印象にマッピングするステップを含む、コンピューター読み取り可能媒体。
【請求項６】
請求項４または５に記載のコンピューター読み取り可能媒体において、前記印象は、非プレーヤーが前記行為を解釈する仕方である、コンピューター読み取り可能媒体。
【請求項７】
プレーヤがカットシーンをトリガするステップと、
カットシーン制御部が、複数のカットシーン・クリップのうちの１つを取り出すステップであって、前記複数のカットシーンが合わさって前記カットシーンを構成し、各カットシーン・クリップが始点と終点を有する、ステップと、
前記取り出したカットシーン・クリップから非プレーヤー・キャラクタのオーディオ信号とアニメーションを生成するステップと、
プレーヤーのアバターがある行為を実行したと判定するステップと、
前記非プレーヤー・キャラクタが、前記行為に応答すべきであると判定するステップと、
前記カットシーン・クリップの終点に達する前に、前記カットシーン・クリップを停止させるステップと、
前記複数のカットシーン・クリップ内にある重要情報を要約し、前記複数のカットシーン・クリップ内の様式情報のほとんどを取り去ることによって、前記非プレーヤー・キャラクタに前記行為に応答させるステップと、
前記応答の完了時に、前記カットシーンを直ちに終了させるステップと、
を含む、方法。
【請求項８】
請求項７記載の方法において、非プレーヤー・キャラクタが行為に応答すべきであると判定するステップは、前記行為を印象にマッピングするステップと、前記印象を応答にマッピングするステップとを含む、方法。
【請求項９】
請求項７または８に記載の方法において、前記行為は、前記プレーヤーのアバターが、事実だけを尋ねることを含む、方法。
【請求項１０】
請求項４から６のいずれかに記載のコンピュータ読み取り可能媒体であって、前記ステップが更に、前記応答のヘッダを調べて、マイクロリアクションかどうかを判定することを含み、マイクロリアクションは、前記カットシーン・クリップ・ファイル内の動画化された動きを、応答の動画化された動きと組み合わせて、前記非プレーヤー・キャラクタの修正アニメーションを形成する、コンピュータ読み取り可能媒体。
【請求項１１】
請求項６記載のコンピュータ読み取り可能媒体において、前記非プレーヤー・キャラクタは、前記行為をせっかちであると解釈する、コンピュータ読み取り可能媒体。
【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
相補的なセンスおよびアンチセンス領域を含み、
- アンチセンス領域が、ヒトハンチンチン転写産物に相補的な15から19以下の連続したヌクレオチドを有し、前記ヌクレオチドが、配列番号１〜３からなる群より選択される配列によりコードされ、
- センスおよびアンチセンス領域が、互いに相補的で二重鎖を形成する少なくとも15の連続したヌクレオチドを有し、
- 内因性野生型および外因性ヒト変異ハンチンチン遺伝子の発現を、前記ハンチンチン遺伝子の両方を発現している非ヒト哺乳動物の細胞において阻害する、
単離された二本鎖短干渉核酸分子。
【請求項２】
センス領域が、配列番号４〜６からなる群より選択される配列によりコードされる少なくとも15個の連続したヌクレオチドを含む、請求項１に記載の二本鎖短干渉核酸分子。
【請求項３】
それぞれ15〜約30ヌクレオチドの２つの別々のオリゴヌクレオチドから組み立てられ、少なくとも15塩基対の二重鎖構造を形成する、請求項１または２に記載の二本鎖短干渉核酸分子。
【請求項４】
31〜約50ヌクレオチドの単一のオリゴヌクレオチドから組み立てられ、少なくとも15塩基対の二重鎖構造および4〜10ヌクレオチドのループ構造を有するヘアピンを形成する、請求項１または２に記載の二本鎖短干渉核酸分子。
【請求項５】
ループが、配列番号７によりコードされる、請求項４に記載の二本鎖短干渉核酸分子。
【請求項６】
配列番号８〜１０からなる群より選択される配列によりコードされる、請求項５に記載の二本鎖短干渉核酸分子。
【請求項７】
一方または両方の3'末端が、1〜約3の突出ヌクレオチドを含む、請求項１〜６のいずれか１項に記載の二本鎖短干渉核酸分子。
【請求項８】
両方の末端が平滑である、請求項１〜６のいずれか１項に記載の二本鎖短干渉核酸分子。
【請求項９】
RNA分子である、請求項１〜８のいずれか１項に記載の二本鎖短干渉核酸分子。
【請求項１０】
１つ以上の改変されたピリミジンおよび／またはプリンヌクレオチドを含む、請求項１〜９のいずれか１項に記載の二本鎖短干渉核酸分子。
【請求項１１】
少なくとも１つの改変されたヌクレオチド間リンケージを含む、請求項１〜１０のいずれか１項に記載の二本鎖短干渉核酸分子。
【請求項１２】
前記非ヒト哺乳動物が、マウスまたはラットである、請求項１〜１１のいずれか１項に記載の二本鎖短干渉核酸分子。
【請求項１３】
転写開始領域と、転写終止領域と、請求項１〜９のいずれか１項に記載の少なくとも１つの短干渉核酸分子をコードする核酸配列とを含み、
前記核酸配列が、宿主細胞において短干渉核酸分子の発現および／または送達を可能にする様式で前記開始領域に作動可能に連結する、転写ユニット。
【請求項１４】
転写開始領域がドキシサイクリン制御プロモーターを含む、請求項１３に記載の転写ユニット。
【請求項１５】
請求項１３または１４に記載の転写ユニットを含む、発現ベクター。
【請求項１６】
複製欠陥性で、多様性弱毒化レンチウイルスベクターである、請求項１５に記載の発現ベクター。
【請求項１７】
請求項１５または１６に記載のベクターにより改変された細胞。
【請求項１８】
許容できる担体中に、請求項１〜１２のいずれか1項に記載の少なくとも１つの短干渉核酸分子または前記短干渉核酸分子をコードする請求項１５もしくは１６に記載の発現ベクターを含む、医薬組成物。
【請求項１９】
ハンチントン病の予防または治療用医薬品の製造のための、請求項１〜１２のいずれか1項に記載の短干渉核酸分子または前記短干渉核酸分子をコードする請求項１５もしくは１６に記載の発現ベクターの使用。
【請求項２０】
げっ歯類モデルにおけるハンチントン病の研究のための、請求項１〜１２のいずれか1項に記載の短干渉核酸分子または前記短干渉核酸分子をコードする請求項１５もしくは１６に記載の発現ベクターの使用。
【手続補正書】
【提出日】平成23年6月16日(2011.6.16)
【手続補正１】
【補正対象書類名】特許請求の範囲
【補正対象項目名】全文
【補正方法】変更
【補正の内容】
【特許請求の範囲】
【請求項１】
トロンビンのエキソサイトIおよび活性部位と相互作用する1または複数の分子にトロンビンを曝露することによる、トロンビン活性の阻害方法。
【請求項２】
前記1または複数の分子が、トロンビンのエキソサイトI、エキソサイトIIおよび活性部位のすべてと相互作用する、請求項１に記載の方法。
【請求項３】
前記分子が、アミノ酸配列SDQGDVAEPKMHKTAPPFDFEAIPEEYLDDES（配列番号１）を有するバリエジン（variegin）タンパク質、該バリエジンタンパク質の機能的等価物、アミノ酸配列SDQGDVAEPKMHKTAPPFDFEAIPEEYLDDHS（配列番号４）を有する変異体、以下のアミノ酸配列：
DVAEPKMHKTAPPFDFEAIPEEYL（DV24）（配列番号９）；
MHKTAPPFDFEAIPEEYLDDES（MH22）（配列番号３）；
MHKTAPPFDFEEIPEEYLDDES（MH22A22E）（配列番号５）；
EPKMHKTAPPFDFEAIPEEYLDDES（EP25）（配列番号６）；
EPKMHKTAPPFDFEEIPEEYLDDES（EP25A22E）（配列番号７）；
EPKMHKTAPPFDFEAIPEEYL（EP21）（配列番号８）；
MHKTAPPFDFEAIPEEYL（MH18）（配列番号２０）；
DVAEPRMHKTAPPFDFEAIPEEYL（DV24K10R）（配列番号１０）；
SDQGDVAEPKMHKTAPPFDFEAIPEEYL（配列番号１１）； 
SDQADRAQPKLHRNAPQGDFEAIPDEYL（配列番号１２）；
SDQSGRAQPKLPRNAPQGDFEAIPDEYL（配列番号１３）；
SDQGDVAEPKMHKTAPPGDFEAIPEEYLD（配列番号１４）；および
SDQADVAEPKMHKTAPPGDFEAIPEEYLD（配列番号１５）
より選択されるアミノ酸配列を有するバリエジンタンパク質の断片またはバリエジンタンパクの変異体の断片
である、請求項１または２に記載の方法。
【請求項４】
異常なトロンビン蓄積に関連する疾患を診断するために行なわれる、請求項１〜３のいずれか1項に記載の方法。
【請求項５】
(a)アミノ酸配列SDQGDVAEPKMHKTAPPFDFEAIPEEYLDDES（配列番号１）を有するバリエジンタンパク質またはその機能的等価物；または
(b）アミノ酸配列SDQGDVAEPK（配列番号２）およびMHKTAPPFDFEAIPEEYLDDES（配列番号３）を有するバリエジンタンパク質の切断産物または該バリエジンタンパク質の機能的等価物の切断産物と；
トロンビンとの複合体。
【請求項６】
バリエジン配列の断片を含み、かつ以下のアミノ酸配列：
DVAEPKMHKTAPPFDFEAIPEEYL（DV24）（配列番号９）
EPKMHKTAPPFDFEAIPEEYLDDES（EP25：活性部位およびエキソサイトI）（配列番号６）
APPFDFEAIPEEYLDDES（AP18：エキソサイトI）（配列番号１６）
SDQGDVAEPKMHKT（エキソサイトII結合および活性部位）（配列番号１７）
SDQGDVA（エキソサイトII）（配列番号１８）
EPKMHKT（活性部位）（配列番号１９）
APPFDFEAIPEEYLDDES（エキソサイトI）（配列番号１６）
SDQGDVAEPK（切断産物1）（配列番号２）
MHKTAPPFDFEAIPEEYLDDES（切断産物2；MH22）（配列番号３）
EPKMHKTAPPFDFEAIPEEYL（EP21）（配列番号８）
MHKTAPPFDFEAIPEEYL（MH18）（配列番号２０）
またはそれらの機能的等価物
より選択されるアミノ酸配列を含む、トロンビン・インヒビター。
【請求項７】
機能的等価物であり、かつ以下のアミノ酸配列：
EPKMHKTAPPFDFEEIPEEYLDDES（EP25A22E）（配列番号７）
DVAEPRMHKTAPPFDFEAIPEEYL（DV24K10R）（配列番号１０）または
MHKTAPPFDFEEIPEEYLDDES（MH22A22E）（配列番号５）
より選択されるアミノ酸配列を含むかまたはそれからなる、請求項６に記載のトロンビン・インヒビター。
【請求項８】
トロンビンと、請求項６または7に記載のトロンビン・インヒビターとの複合体。
【請求項９】
請求項６または7に記載のトロンビン・インヒビターをコードする核酸分子。
【請求項１０】
請求項９に記載の核酸分子を含むベクター。
【請求項１１】
請求項９に記載の核酸分子または請求項１０に記載のベクターを含む宿主細胞。
【請求項１２】
請求項６または７に記載のトロンビン・インヒビターの調製方法であって、前記タンパク質が発現される条件下で請求項１１に記載の宿主細胞を培養するステップ、およびそのようにして産生されたタンパク質を回収するステップを含む、上記方法。
【請求項１３】
請求項６または７に記載のトロンビン・インヒビターまたは請求項９に記載の核酸分子および製薬上許容される担体を含む、医薬組成物。
【請求項１４】
血液凝固障害に罹患した患者の治療方法、患者が血液凝固障害を発症するのを予防する方法または悪性疾患もしくは悪性疾患に関連する状態の治療方法において使用するための、治療上有効量または予防上有効量の請求項６または７に記載のトロンビン・インヒビター。
【請求項１５】
トロンビン蓄積により引き起こされる疾患または状態の診断方法であって、患者または患者から単離した組織に請求項６または７に記載のトロンビン・インヒビターを投与するステップ、およびトロンビンに結合した該トロンビン・インヒビターの存在を検出するステップを含み、トロンビンに結合した該トロンビン・インヒビターの検出が該疾患または状態を示すものである、上記方法。
【請求項１６】
前記疾患または状態が、フィブリン血栓または血小板血栓である、請求項１５に記載の方法。
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
溶融物エマルションの押出物を含む、油状の有効成分のための固体デリバリーシステムであって、該エマルションの連続相がマトリックス材料を含み、かつその分散相が油状の有効成分及び粘度改質成分の有効量を含有し、さらに該分散相と連続相との粘度の比が、１：１００〜１：１である、デリバリーシステム。
【請求項２】
前記の分散相が、粘度改質剤の不在下で、同一の分散相の粘度よりも少なくとも１０倍高い粘度を有する、請求項１に記載のデリバリーシステム。
【請求項３】
前記の分散相が、油状の有効材料として、多価不飽和脂肪酸が豊富な油を含有する、請求項１又は２に記載のデリバリーシステム。
【請求項４】
前記の粘度改質成分が、場合により改質されたセルロースエーテル又はシリコーン油から選択される、請求項１から３までのいずれか１項に記載のデリバリーシステム。
【請求項５】
前記の粘度改質成分が、エチルセルロースである、請求項４に記載のデリバリーシステム。
【請求項６】
前記の油状の有効材料とエチルセルロースとの質量比が、２００：１〜１：４である、請求項５に記載のデリバリーシステム。
【請求項７】
乳化剤が、溶融物エマルション中に存在する、請求項１から６までのいずれか１項に記載のデリバリーシステム。
【請求項８】
前記の乳化剤がレシチンである、請求項１から７までのいずれか１項に記載のデリバリーシステム。
【請求項９】
前記のマトリックス材料が、スクロース、グルコース、ラクトース、レブロース、フルクトース、マルトース、リボース、デキストロース、イソマルト、ソルビトール、マンニトール、キシリトール、ラクチトール、マルチトール、ペンタトール、アラビノース、ペントース、キシロース、ガラクトース、水素化されたデンプン水解物、マルトデキストリン、トレハロース、オリゴフルクタン、Ｓｔａｂｉｌｉｔｅ（登録商標）寒天、カラゲナン、ゴム、ポリデキストロース、並びにそれらの誘導体及び混合物からなる群から選択される、請求項１から８までのいずれか１項に記載のデリバリーシステム。
【請求項１０】
前記のマトリックス材料が、マルトデキストリン、又はマルトデキストリンと、スクロース、グルコース、ラクトース、レブロース、マルトース、フルクトース、イソマルト、ソルビトール、マンニトール、キシリトール、ラクチトール、マルチトール及び水素化コーンロップからなる群から選択された少なくとも１つの材料との混合物から形成される、請求項９に記載のデリバリーシステム。
【請求項１１】
前記のマトリックスが、有利にはＤＥ２０未満を有するマルトデキストリンを含有する、請求項１０に記載のデリバリーシステム。
【請求項１２】
前記の油状の有効材料が、デリバリーシステムの全質量に対して、約５質量％〜約４０質量％の範囲の濃度で押出物中に存在する、請求項１から１１までのいずれか１項に記載のデリバリーシステム。
【請求項１３】
以下、
ａ）油状の有効材料と粘度改質剤とを混合して、その油状の有効材料と比較して高められた粘度を有する実質的に均一な液体を提供する工程、
ｂ）工程（ａ）からの液体と、押出可能なマトリックス材料とを混合する工程、
ｃ）その混合物を乳化して、連続相がマトリックス材料を含有し、かつ分散相が粘度改質剤及び油状の有効成分からなり、該分散相と連続相との粘度の比が、１：１００〜１：１であるエマルションを製造する工程、
ｄ）乳化された塊を、金型を介して押出す工程、
ｅ）場合により押出された材料の粒子を形成する工程、並びに
ｆ）場合により、その押出物を乾燥する工程、
を含む、好適な押出された有効成分のデリバリーシステムを製造する方法。
【請求項１４】
請求項１から１２までのいずれか１項に記載のデリバリーシステムを含有する、食物、飲料、食用組成物、医薬品組成物、機能性食品組成物、チューイングガム又は練り歯磨き。
【手続補正書】
【提出日】平成23年6月1日(2011.6.1)
【手続補正１】
【補正対象書類名】特許請求の範囲
【補正対象項目名】全文
【補正方法】変更
【補正の内容】
【特許請求の範囲】
【請求項１】
モノアシルおよびジアシルグリセロール含有量が少なくとも２０ｗｔ％であり、遊離脂肪酸含有量が１０ｗｔ％以下であり、そして発芽した油性種子の水性ホモジネートを含み、該種子自身の酵素および乳化物質が該エマルジョンを形成できる、植物新芽系の安定な水中油滴型エマルジョン。
【請求項２】
少なくとも５％の油含有量を有する該発芽した油性種子の水性ホモジネートを含む、請求項１に記載のエマルジョン。
【請求項３】
ヒマワリ、粘液除去した亜麻、セイヨウアブラナ、大豆、クロフサスグリ、ブドウ、ゴマ、クルミ、ヘーゼルナッツ、ピーナッツまたはアーモンドの、発芽した種子の該水性ホモジネートを含む請求項２に記載のエマルジョン。
【請求項４】
粘液除去した発芽した亜麻種子の水性ホモジネートを含む、請求項３に記載のエマルジョン。
【請求項５】
発芽したヒマワリ種子の水性ホモジネートを含む、請求項３に記載のエマルジョン。
【請求項６】
４０〜８０％のＭＡＧ含有量およびＤＡＧ含有量、ならびに１〜８％の遊離脂肪酸含有量を有する、請求項１〜５のいずれか一項に記載のエマルジョン。
【請求項７】
６０〜８０％のＭＡＧ含有量およびＤＡＧ含有量、ならびに１〜５％の遊離脂肪酸含有量を有する、請求項４に記載の粘液除去した亜麻新芽系エマルジョン。
【請求項８】
該エマルジョンに導入されたさらなる油および／または脂肪を含む、請求項１〜７のいずれか一項に記載のエマルジョン。
【請求項９】
該さらなる油が、該発芽した種子の油と同じである、請求項８に記載のエマルジョン。
【請求項１０】
該さらなる油が、該発芽した種子の油と異なる、請求項８に記載のエマルジョン。
【請求項１１】
該さらなる脂肪が、植物および／または動物由来である、請求項８に記載のエマルジョン。
【請求項１２】
（ａ）苗を得るために油性種子が発芽する工程、次に、
（ｂ１）該新鮮な苗が、水もしくは生理食塩水溶液と均質化される工程；または、
（ｂ２）該乾燥した苗の粉砕物が、水中もしくは生理食塩水溶液中で懸濁される工程；または、
（ｂ３）該乾燥しかつ油を除去した苗からできた粉末が、水中もしくは生理食塩水溶液中で懸濁され、そして植物油が加えられる工程；または、
（ｂ４）該新鮮な苗から調製された芽タンパク質の、清浄にした、新鮮なもしくは乾燥した単離物を、水中もしくは生理食塩水溶液中で希釈し、そして油を加える工程；
（ｃ）任意選択的に、油および／または脂肪を混合下で加え、そしてこのように得られた安定なエマルジョンが分離される工程、
の各工程を含む、請求項１〜１１いずれか一項に記載の植物新芽系の安定な水中油の調製のための方法。
【請求項１３】
該芽タンパク質単離物が：
ホモジネートが油性種子の新鮮な苗から水または生理食塩水溶液を用いて調製される工程；
遠心分離によって、該水に不溶性の細胞構成部分および該水中油滴型エマルジョンを除去することによって、このホモジネートを清浄にする工程；
該タンパク質が、該清浄にした水相から沈殿する工程；ならびに、
必要であれば、該タンパク質を乾燥させる工程、
により調製される、請求項１２に記載の方法。
【請求項１４】
請求項１２による方法により得られる、請求項１〜１１のいずれか一項に記載の植物新芽系の安定な水中油滴型エマルジョン。
【請求項１５】
植物油と植物脂肪または動物脂肪との該乳化における乳化剤としての、請求項１〜１１のいずれか一項に記載の植物新芽系の安定な水中油滴型エマルジョンの使用。
【請求項１６】
食品サプリメントとしての、請求項１〜１１のいずれか一項に記載の植物新芽系の安定な水中油滴型エマルジョンの使用。
【請求項１７】
請求項１〜１１のいずれか一項に記載の植物新芽系の安定な水中油滴型エマルジョンを含む食品サプリメント。
【請求項１８】
食品業界における使用のための、請求項１〜１１のいずれか一項に記載の植物新芽系の安定な水中油滴型エマルジョン。
【請求項１９】
ヘルスケアまたはビューティーケア業界における使用のための、請求項１〜１１のいずれか一項に記載の植物新芽系の安定な水中油滴型エマルジョン。
【請求項２０】
給餌における添加物としての使用のための、請求項１〜１１のいずれか一項に記載の植物新芽系の安定な水中油滴型エマルジョン。
【請求項２１】
１〜２％の結合水を含む、請求項１〜１１のいずれか一項に記載の乾燥した植物新芽系の安定な水中油滴型エマルジョン。
【手続補正書】
【提出日】平成23年6月13日(2011.6.13)
【手続補正１】
【補正対象書類名】明細書
【補正対象項目名】０００６
【補正方法】変更
【補正の内容】
【０００６】
このように、本発明の方法は２段階法であり、第１工程ではマイクロエマルションをそれ自体既知の方法で調製する。マイクロエマルションはまず、２種の不混和性液体および少なくとも１種の非イオン性界面活性剤または１種のイオン性界面活性剤からなる巨視的に均一で光学的に透明な低粘性の特に熱力学的に安定な混合物の全てを意味すると理解される。マイクロエマルションの平均粒度は通常１００ｎｍ未満であり、マイクロエマルションは、高い透明性を有し、２０００ｒｐｍで少なくとも３０分間遠心分離した際の可視的相分離に対して安定である。
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
以下の工程：
ａ）低温保存した哺乳類胎盤を、該胎盤の血管への幹細胞および／または前駆体細胞の流動化を誘導する物質を含む回収液により環流する工程、および
ｂ）血管から、流動化された細胞を回収する工程を含み、
該回収細胞が胎児幹細胞および前駆体細胞を含み、
前記流動化を誘導する物質が、ＡＭＤ−３１００またはその誘導体または類似物であるか、あるいは、生物学的適合性のある非イオン性界面活性剤、組織消化酵素、接着分子に特異的に結合し、細胞接着を阻害する抗体、血栓溶解酵素、または、エチレンジアミン４酢酸である、
低温保存哺乳類胎盤から胎児幹細胞および前駆体細胞を取得する方法。
【請求項２】
前記流動化を誘導する物質が、生物学的適合性のある非イオン性界面活性剤であり、それが任意にチロキサポールである、請求項１に記載の方法。
【請求項３】
前記回収液が、
ａ）幹細胞または前駆体細胞の表現型の維持を促進するサイトカイン、および／または、
ｂ）２またはそれ以上の流動化物質を含む、請求項１に記載の方法。
【請求項４】
ａ）回収した細胞から、残余の、母親由来の、いかなる細胞をも除去する工程、および／または、
ｂ）体外での、回収した胎児幹細胞／前駆体細胞の分化を誘導する工程であり、前記の誘導により、回収胎児幹細胞／前駆体細胞が、一つまたは複数の分化細胞種に分化する結果を伴う工程であって、当該一つまたは複数の分化細胞種が任意に脂肪細胞、肝細胞、オリゴデンドロサイト、および骨髄系統細胞である工程、をさらに含む、請求項１に記載の方法。
【請求項５】
前記の回収幹細胞／前駆体細胞が、
ａ）造血幹細胞、
ｂ）間葉幹細胞、または、
ｃ）胎盤由来の多能性細胞を含む、請求項１に記載の方法。
【請求項６】
前記回収幹細胞および前駆体細胞が、およそ１０６から１０９の、生存能力のある胎児幹細胞および前駆体細胞を含む、請求項１に記載の方法。
【請求項７】
流動化物質が組織消化酵素であり、酵素により消化した胎盤組織を生成する工程をさらに含む、請求項３に記載の方法。
【請求項８】
酵素により消化した胎盤組織を物理的に崩壊させることで、胎盤組織と胎盤細胞懸濁液からなる胎盤組織混合物を生成し、該胎盤組織を該胎盤細胞懸濁液から分離する工程を含む、請求項７に記載の方法。
【請求項９】
幹細胞／前駆体細胞を胎盤細胞懸濁液から分離し、前記の分離工程に、一回または複数回の洗浄、遠心分離法、密度勾配遠心分離法、溶出、ポジティブセレクション、および、ネガティブセレクションを含む、請求項８に記載の方法。
【請求項１０】
ｉ）生物学的適合性のある非イオン性界面活性剤が、ジアセチル化モノグリセリド、ジエチレングリコールモノステアリン酸、エチレングリコールモノステアリン酸、グリセリルモノオレイン酸、グリセリルモノステアリン酸、プロピレングリコールモノステアリン酸、マクロゴールエステル、マクロゴールステアリン酸４００、マクロゴールステアリン酸２０００、ポリオキシエチレン５０ステアリン酸、マクロゴールエーテル、セトマクロゴール１０００、ラウロマクロゴール、ノノキシノール、オクトキシノール、チロキサポール、ポロキサマー、ポリビニルアルコール、ポリソルベート２０、ポリソルベート４０、ポリソルベート６０、ポリソルベート６５、ポリソルベート８０、ポリソルベート８５、ソルビタンモノラウリン酸、ソルビタンモノオレイン酸、ソルビタンモノパルミチン酸、ソルビタンモノステアリン酸、ソルビタンセスキオレイン酸、ソルビタントリオレイン酸、ソルビタントリステアリン酸、およびスクロースエステルから選択され、
ｉｉ）組織消化酵素が、コラゲナーゼ、トリプシン、キモトリプシン、パパイン、ペプシン、プロテインナーゼＫ、ＤＮＡ分解酵素、ディスパーゼ、カルボキシペプチダーゼ、カルパインおよびスブチリシンから選択され、
ｉｉｉ）接着分子に特異的に結合し細胞接着を阻害する抗体が、細胞内接着分子、血管細胞接着分子、血小板−内皮細胞接着分子、インテグリン、カドヘリン、およびセレクチンから選択され、
を含む。接着分子に特異的で、かつ該接着分子に結合すると、該接着分子により仲介された細胞接着を阻害する抗体はいずれも使用に適している。こうしたいくつかの抗体は既知であり、使用することができる。「抗体」という用語は、ポリクロナル抗体、モノクロナル抗体、モノクロナル抗体の抗原結合フラグメント（例えば、Ｆａｂ，Ｆｖ，ｓｃＦｖ，およびＦｄフラグメント）、キメラ抗体、ヒト化抗体、単鎖抗体、等のいかなる種類のアイソタイプの抗体も含む。
ｉｖ）血栓溶解酵素が、ストレプトキナーゼ又はウロキナーゼである、請求項１に記載の方法。
【請求項１１】
前記流動化を誘導する物質が、ＡＭＤ−３１００またはその誘導体または類似物である、請求項１に記載の方法。
【請求項１２】
前記サイトカインが、コロニー刺激因子−１、顆粒球コロニー刺激因子、顆粒球マクロファージコロニー刺激因子、巨核球コロニー刺激因子、インターフェロン−α（ＩＦＮ−α）、コンセンサスインターフェロン、ＩＦＮ−β、ＩＦＮ−γ、ＩＬ−１α、ＩＬ−１β、ＩＬ−２、ＩＬ−３、ＩＬ−４、ＩＬ−５、ＩＬ−６、ＩＬ−１０、ＩＬ−１１、ＩＬ−１３、幹細胞因子、白血病抑制因子、オンコスタチンＭ、エリスロポエチン、およびスロンボポエチンから選択される、請求項３に記載の方法。
【請求項１３】
前記工程ａ）に先立って、以下の工程：
ａ’）哺乳類胎盤を、抗血栓剤、血管拡張剤、および低温保存物質を含む環流液により環流する工程、および
ｂ’）環流した胎盤を０℃以下の温度で凍結する工程、
に従って哺乳類胎盤を低温保存することをさらに含む、請求項１に記載の方法。
【請求項１４】
前記環流を、およそ４℃から３７℃までの温度中で行う、請求項１３に記載の方法。
【請求項１５】
前記抗血栓剤が、ヘパリン、クマリン、エチレンジアミン４酢酸、ヒルジン、またはヒルジン類縁体である、請求項１３に記載の方法。
【請求項１６】
前記血管拡張剤が、パパベリン、モキサベリン、ヒドララジン、ジヒロラライジン、ミノキシジル、ニトログリセリン、イソソルビド、ジニトラート、ジアゾキシド、ニトロプルシド、ジルチアゼム、アミオダロン、イソクスプリン、ナイリドリン、トラゾリン、またはベラパミルである、請求項１３に記載の方法。
【請求項１７】
前記環流液が、さらにサイトカイン、または成長因子を含んでいる、請求項１３に記載の方法。
【請求項１８】
凍結胎盤を−５０℃以下の温度に保存する工程を含む、請求項１３に記載の方法。
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
気道における組織領域において所望の方向に移植をなすようサイズ設定され構成された少なくとも１つの長手非弾性ボディと、
組織を連結させ、前記所望の方向から外れる前記組織領域内での前記長手非弾性ボディの再方向付けを阻止するようサイズ設定され構成された前記長手非弾性ボディから延びる突出部のアレイと、
を有する移植システム。
【請求項２】
請求項１に記載の移植システムであって、前記長手非弾性ボディの前記所望の方向は、張力の状態を含む、システム。
【請求項３】
請求項２に記載の移植システムであって、前記張力の状態を調整するための構成部をさら含むシステム。
【請求項４】
請求項１に記載の移植システムであって、前記長手非弾性ボディの前記所望の方向は、曲線状構成を含む、システム。
【請求項５】
請求項１に記載の移植システムであって、前記長手非弾性ボディは、柔軟性材料を有する、システム。
【請求項６】
請求項１に記載の移植システムであって、前記長手非弾性ボディは、縫合線材料を有する、システム。
【請求項７】
請求項１に記載の移植システムであって、前記突出部の少なくとも１つは、柔軟性材料を有する、システム。
【請求項８】
請求項１に記載の移植システムであって、前記突出部の少なくとも１つは、とげを有する、システム。
【請求項９】
請求項１に記載の移植システムであって、前記長手非弾性ボディは、口蓋、口蓋垂、舌、喉頭蓋、又は上気道に沿う筋肉における所望の方向での移植のためにサイズ設定され構成される、システム。
【請求項１０】
請求項１に記載の移植システムであって、前記長手非弾性ボディに結合された組織固定部をさらに含むシステム。
【請求項１１】
請求項１に記載の移植システムであって、前記長手非弾性ボディに結合された骨固定部をさらに含むシステム。
【請求項１２】
請求項１に記載の移植システムであって、前記組織領域の中へ導入され、前記組織領域における移植のための前記長手ボディの通過を受け入れる内部孔を有するようにサイズ設定され構成された移植ツールをさらに含むシステム。
【請求項１３】
請求項１２に記載の移植システムであって、前記移植ツールは、組織に入り込むようにサイズ設定され構成された遠位端領域を含む、システム。
【請求項１４】
気道における組織領域における所望の方向での移植のためにサイズ設定され構成された少なくとも１つの長手ボディと、
前記長手ボディから延びているとともに、組織を連結し、前記組織領域における前記長手ボディの移植の後の前記所望の方向から外れる前記組織領域内における前記長手ボディの再方向付けを阻止するようサイズ設定され構成された、垂直付勢された外向き延在状態で前記長手ボディに弾力的に結合されている突出部のアレイであって、前記組織領域における前記長手ボディの移植中に前記長手ボディに対して内向きに曲がることにより弾力的に屈曲するようサイズ設定され構成された突出部のアレイと、
を有する移植システム。
【請求項１５】
請求項１４に記載の移植システムであって、前記長手ボディの前記所望の方向は、張力の状態を含む、システム。
【請求項１６】
請求項１５に記載の移植システムであって、前記張力の状態を調整するための構成部をさらに含むシステム。
【請求項１７】
請求項１４に記載の移植システムであって、前記長手ボディの前記所望の方向は、曲線状構成を含む、システム。
【請求項１８】
請求項１４に記載の移植システムであって、前記長手ボディは、柔軟性材料を有する、システム。
【請求項１９】
請求項１４に記載の移植システムであって、前記長手ボディは、縫合線材料を有する、システム。
【請求項２０】
請求項１４に記載の移植システムであって、前記突出部の少なくとも１つは、柔軟性材料を有する、システム。
【請求項２１】
請求項１４に記載の移植システムであって、前記前記突出部の少なくとも１つは、とげを有する、システム。
【請求項２２】
請求項１４に記載の移植システムであって、前記長手ボディは、口蓋、口蓋垂、舌、喉頭蓋、又は上気道に沿う筋肉における所望の方向での移植のためにサイズ設定され構成される、システム。
【請求項２３】
請求項１４に記載の移植システムであって、前記長手ボディに結合された組織固定部をさらに含むシステム。
【請求項２４】
請求項１４記載の移植システムであって、前記長手ボディに結合された骨固定部をさらに含むシステム。
【請求項２５】
請求項１４に記載の移植システムであって、前記組織領域に導入され、前記組織領域における移植のための前記長手ボディの通過を受け入れる内部孔を有するようにサイズ形成され構成される移植ツールをさらに含むシステム。
【請求項２６】
請求項２５に記載の移植システムであって、前記移植ツールは、組織に入り込むようサイズ設定され構成された遠位端領域を含む、システム。
【請求項２７】
喉頭蓋及び／又は上気道に沿う筋肉における所望の方向での移植のためにサイズ設定され構成された少なくとも１つの長手ボディと、
組織を連結し、前記所望の方向から外れる前記組織領域内の前記長手ボディの再方向付けを阻止するようサイズ設定され構成された前記長手ボディから延びる突出部のアレイと、
を有する移植システム。
【請求項２８】
舌の動き及び／又は形状に作用する外来筋領域の中、上又は近傍における移植のためにサイズ設定され構成された少なくとも１つの移植構造と、所望の方向に前記舌を維持するよう前記外来筋領域に対して前記移植構造の位置を安定させる手段と、を有する移植システム。